(57)【要約】【課題】インキタンクの外観的な面白みが増加するとともに、筆立て等に収容した状態でもインキ色の識別が可能となり、しかも、キャップとの嵌合不良が発生するおそれがない両頭式筆記具を提供する。【解決手段】軸筒２を透明または半透明の合成樹脂成形体により構成する。軸筒２の内部に、長手方向に延びる隔壁３を一体に形成し、軸筒２の一端より外部に開口する第１のインキタンク５Ａと、軸筒２の他端より外部に開口する第２のインキタンク５Ｂとを設ける。第１の小径部５２Ａ内の第１のインキ８Ａ及び第２の小径部５２Ｂ内の第２のインキ８Ｂを視認可能に構成する。第１のキャップ９Ａとの嵌合部を第１の小径部５２Ａより前方位置の本体１に設ける。第２のキャップ９Ｂとの嵌合部を第２の小径部５２Ｂより前方位置の本体１に設ける。【選択図】  図１
2005178051.tif 000002
【特許請求の範囲】
【請求項１】
一端に第１のペン先を備え且つ他端に第２のペン先を備える軸筒よりなる本体と、前記第１のペン先側の本体の外面に装着可能な第１のキャップと、前記第２のペン先側の本体の外面に装着可能な第２のキャップとからなる両頭式筆記具であって、
前記軸筒を透明または半透明の合成樹脂成形体により構成し、前記軸筒の内部に、隔壁を一体に形成することにより、軸筒の一端より外部に開口し、第１のペン先を備える第１のインキタンクと、軸筒の他端より外部に開口し、第２のペン先を備える第２のインキタンクとを設け、前記第１のインキタンクと第２のインキタンクとを互いに連通しない構成とし、
前記隔壁を長手方向に延設し、前記第１のインキタンクが、前方に開口する第１の大径部と、前記隔壁により小径化され、前記第１の大径部の後方に連設される第１の小径部とからなり、前記第１の大径部内に、第１のペン先と接続される第１のインキ保溜部材を設け、前記第１のインキ保溜部材の後方の第１のインキタンク内に第１のインキを直接貯溜する第１のインキ貯溜部を設け、前記第１のインキ保溜部材が、第１のインキ貯溜部内の圧力上昇に応じた溢出インキを一時的に保持し、
前記第２のインキタンクが、前方に開口する第２の大径部と、前記隔壁により小径化され、前記第２の大径部の後方に連設される第２の小径部とからなり、前記第２の大径部内に、第２のペン先と接続される第２のインキ保溜部材を設け、前記第２のインキ保溜部材の後方の第２のインキタンク内に第２のインキを直接貯溜する第２のインキ貯溜部を設け、前記第２のインキ保溜部材が、第２のインキ貯溜部内の圧力上昇に応じた溢出インキを一時的に保持し、
第１の小径部内の第１のインキ及び第２の小径部内の第２のインキを視認可能に構成し、前記第１のキャップとの嵌合部を第１の小径部より前方位置の本体に設け、前記第２のキャップとの嵌合部を第２の小径部より前方位置の本体に設けたことを特徴とする両頭式筆記具。
【請求項２】
第１のキャップを第１のペン先側の本体の外面に装着した際、前記第１のキャップの後端が第１の小径部より前方に位置し、
第２のキャップを第２のペン先側の本体の外面に装着した際、前記第２のキャップの後端が第２の小径部より前方に位置してなる請求項１記載の両頭式筆記具。
【請求項３】
前記嵌合部が、乗り越え係合部と気密シール部とからなり、前記乗り越え係合部を第１の大径部の外面及び第２の大径部の外面に設け、前記気密シール部を、第１の大径部の前端部及び第２の大径部の前端部に設けた請求項１または２記載の両頭式筆記具。
【発明の詳細な説明】
【技術分野】
【０００１】
本発明は、軸筒の両端にペン先を備えた直液タイプの両頭式筆記具に関する。
尚、本発明において、「前」とは、第１のインキタンクにおいて第１のペン先側を指し、第２のインキタンクにおいて第２のペン先側を指す。「後」とは、第１のインキタンクにおいて第１のインキ貯溜部側を指し、第２のインキタンクにおいて第２のインキ貯溜部側を指す。
【背景技術】
【０００２】
従来、この種の両頭式筆記具に関して、例えば特許文献１には、ペン先とペン先ホルダとインキタンクを固定した直液構造のペン先ユニットを筒軸両端側に着脱自在に取付けた筆記具が開示されている。さらに、前記特許文献１には、インキタンクの円筒部にキャップを係脱自在に嵌着させる構成が開示されている。
【０００３】
【特許文献１】特開２００２−３６７８６号公報
【発明の開示】
【発明が解決しようとする課題】
【０００４】
前記特許文献１の筆記具は、二つのインキ収納部内の各々のインキが前後に別れて視認される。特に、前記特許文献１の筆記具は、インキ収納部内に空気が多く存在すると、いずれか一方のペン先を下向きにした場合、前記各々のインキの前後の距離が大きくなり、外観的な面白みが不足する。
【０００５】
その上、前記特許文献１の筆記具は、筆立て等に収容陳列状態の場合、筆立て等の外部に突出する上側のペン先のインキ色は視認できるとしても、筆立て等の内部に収容された下側のペン先のインキ色が視認できず、ユーザーに不便を与えるおそれがある。
【０００６】
本発明は前記問題点を解決するものであって、インキタンクの外観的な面白みが増加するとともに、筆立て等に収容した状態でもインキ色の識別が可能となり、しかも、キャップとの嵌合不良が発生するおそれがない両頭式筆記具を提供しようとするものである。
【課題を解決するための手段】
【０００７】
〔１〕本発明は、一端に第１のペン先４Ａを備え且つ他端に第２のペン先４Ｂを備える軸筒２よりなる本体１と、前記第１のペン先４Ａ側の本体１の外面に装着可能な第１のキャップ９Ａと、前記第２のペン先４Ｂ側の本体１の外面に装着可能な第２のキャップ９Ｂとからなる両頭式筆記具１０であって、前記軸筒２を透明または半透明の合成樹脂成形体により構成し、前記軸筒２の内部に、隔壁３を一体に形成することにより、軸筒２の一端より外部に開口し、第１のペン先４Ａを備える第１のインキタンク５Ａと、軸筒２の他端より外部に開口し、第２のペン先４Ｂを備える第２のインキタンク５Ｂとを設け、前記第１のインキタンク５Ａと第２のインキタンク５Ｂとを互いに連通しない構成とし、
前記隔壁３を長手方向に延設し、前記第１のインキタンク５Ａが、前方に開口する第１の大径部５１Ａと、前記隔壁３により小径化され、前記第１の大径部５１Ａの後方に連設される第１の小径部５２Ａとからなり、前記第１の大径部５１Ａ内に、第１のペン先４Ａと接続される第１のインキ保溜部材６Ａを設け、前記第１のインキ保溜部材６Ａの後方の第１のインキタンク５Ａ内に第１のインキ８Ａを直接貯溜する第１のインキ貯溜部７Ａを設け、前記第１のインキ保溜部材６Ａが、第１のインキ貯溜部７Ａ内の圧力上昇に応じた溢出インキを一時的に保持し、
前記第２のインキタンク５Ｂが、前方に開口する第２の大径部５１Ｂと、前記隔壁３により小径化され、前記第２の大径部５１Ｂの後方に連設される第２の小径部５２Ｂとからなり、前記第２の大径部５１Ｂ内に、第２のペン先４Ｂと接続される第２のインキ保溜部材６Ｂを設け、前記第２のインキ保溜部材６Ｂの後方の第２のインキタンク５Ｂ内に第２のインキ８Ｂを直接貯溜する第２のインキ貯溜部７Ｂを設け、前記第２のインキ保溜部材６Ｂが、第２のインキ貯溜部７Ｂ内の圧力上昇に応じた溢出インキを一時的に保持し、
第１の小径部５２Ａ内の第１のインキ８Ａ及び第２の小径部５２Ｂ内の第２のインキ８Ｂを視認可能に構成し、前記第１のキャップ９Ａとの嵌合部を第１の小径部５２Ａより前方位置の本体１に設け、前記第２のキャップ９Ｂとの嵌合部を第２の小径部５２Ｂより前方位置の本体１に設けたこと（請求項１）を要件とする。
【０００８】
前記請求項１の両頭式筆記具１０は、第１の小径部５２Ａ内の第１のインキ８Ａと第２の小径部５２Ｂ内の第２のインキ８Ｂとを外部より近接して視覚でき、外観的な面白みが増加する。その上、前記請求項１の両頭式筆記具１０は、筆立て等に収容陳列状態の場合でも、前記筆立て等の上方より露出する第１の小径部５２Ａと第２の小径部５２Ｂとを同時に視覚でき、第１のインキ８Ａの色と第２のインキ８Ｂの色を容易に視認することができる。
【０００９】
さらに、前記請求項１の両頭式筆記具１０は、長手方向に延設された隔壁３を内部に有する軸筒２の外面には、ヒケが生じやすい。そのため、隔壁３が存在する軸筒２の外面に、キャップの嵌合部を設けると、ヒケにより適正な嵌合部を形成できず、キャップとの嵌合不良を生じさせやすい。しかし、前記請求項１の両頭式筆記具１０は、キャップとの嵌合部を、第１の小径部５２Ａよりも前方位置の本体１に設けるとともに、第２の小径部５２Ｂよりも前方位置の本体１に設けたことにより、内部に隔壁３が存在する軸筒２の外面にヒケが生じたとしても、キャップとの適正な嵌合が得られる。
【００１０】
〔２〕前記請求項１の両頭式筆記具１０において、第１のキャップ９Ａを第１のペン先４Ａ側の本体１の外面に装着した際、前記第１のキャップ９Ａの後端が第１の小径部５２Ａより前方に位置し、第２のキャップ９Ｂを第２のペン先４Ｂ側の本体１の外面に装着した際、前記第２のキャップ９Ｂの後端が第２の小径部５２Ｂより前方に位置してなること（請求項２）が好ましい。
【００１１】
前記請求項２の両頭式筆記具１０は、前記構成により、第１のキャップ９Ａを第１のペン先４Ａ側に装着しても、前記第１のキャップ９Ａが第１の小径部５２Ａを覆わず、第２のキャップ９Ｂを第２のペン先４Ｂ側に装着しても、第２のキャップ９Ｂが第２の小径部５２Ｂの外面を覆わない。そのため、第１のインキ８Ａ及び第２のインキ８Ｂを外部より容易に視認することができるとともに、より一層、優れた外観性が得られる。
【００１２】
〔３〕前記請求項１または２の両頭式筆記具１０において、前記嵌合部が、乗り越え係合部５１１Ａ，５１１Ｂと気密シール部５１２Ａ，５１２Ｂとからなり、前記乗り越え係合部５１１Ａ，５１１Ｂを第１の大径部５１Ａの外面及び第２の大径部５１Ｂの外面に設け、前記気密シール部５１２Ａ，５１２Ｂを、第１の大径部５１Ａの前端部及び第２の大径部５１Ｂの前端部に設けること（請求項３）が好ましい。
【００１３】
前記請求項３の両頭式筆記具１０は、請求項１の構成と相まって、乗り越え係合部５１１Ａ，５１１Ｂ及び気密シール部５１２Ａ，５１２Ｂにヒケが発生すること回避でき、より一層、適正なキャップ嵌合構造が得られる。また、気密シール部５１２Ａ，５１２Ｂを第１の大径部５１Ａの前端部及び第２の大径部５１Ｂの前端部に設けたことにより、キャップ装着時のキャップ内の空気の圧縮をできる限り少なくできる。
【発明の効果】
【００１４】
請求項１の両頭式筆記具は、外観的な面白みが増加しするとともに、筆立て等に収容陳列状態の場合でも、第１のインキの色と第２のインキの色を容易に視認することができ、しかも、内部に隔壁が存在する軸筒の外面にヒケが生じたとしても、適正なキャップ嵌合構造が得られる。
【００１５】
請求項２の両頭式筆記具は、第１のインキ及び第２のインキを外部より容易に視認することができ、しかも、より一層、優れた外観性が得られる。
【００１６】
請求項３の両頭式筆記具は、より一層、適正なキャップ嵌合構造が得られるとともに、キャップ装着時のキャップ内の空気圧縮をできる限り少なくできる。
【発明を実施するための最良の形態】
【００１７】
本発明を実施するための最良の形態を、以下、図面に従って説明する。
図１乃至図５に本発明の実施の形態を示す。本実施の形態の両頭式筆記具１０は、一端に第１のペン先４Ａを備え且つ他端に第２のペン先４Ｂを備えた軸筒２よりなる本体１と、前記本体１の第１のペン先４Ａ側に装着可能な第１のキャップ９Ａと、前記本体１の第２のペン先４Ｂ側に装着可能な第２のキャップ９Ｂとからなる。
【００１８】
・軸筒
前記軸筒２は、両端が開口された円筒体であり、透明また半透明の合成樹脂（即ち、無色透明または非着色透明性の合成樹脂）の射出成形により得られる。前記軸筒２の内面には、隔壁３が形成される。前記隔壁３により、前記軸筒２の内部に、軸筒２の一端より開口する第１のインキタンク５Ａと、軸筒２の他端より開口する第２のインキタンク５Ｂとが形成される。前記隔壁３により、前記第１のインキタンク５Ａと第２のインキタンク５Ｂとの間は、連通せず、互いにインキが流通しないように遮断される。前記透明または半透明の合成樹脂は、例えば、ポリプロピレンが挙げられる。
【００１９】
・隔壁
前記隔壁３は、長手方向に延設された構成（即ち、少なくとも、軸線と平行に延びる構成または軸線に対して傾斜した構成）よりなる。前記隔壁３は、本実施の形態では、軸線と略平行に延びる中央壁部３１と、該中央壁部３１の両端より延設される軸線に対して傾斜した傾斜壁部３２及び傾斜壁部３３とからなる。前記傾斜壁部３２は、第１のインキ保溜部材６Ａ近傍の軸筒２側壁内面に一体に連結され、前記傾斜壁部３３は、第２のインキ保溜部材６Ｂ近傍の軸筒２側壁内面に一体に連結される。前記隔壁３により、第１のインキ貯溜部７Ａと第２のインキ貯溜部７Ｂとが、隔壁３を介して径方向に重なり合う２層の重層状態に設けられる。
【００２０】
・インキタンク
前記第１のインキタンク５Ａは、前方に開口する横断面円形状の第１の大径部５１Ａと、該第１の大径部５１Ａより後方に連設される横断面半円形状の第１の小径部５２Ａとからなる。前記第１の大径部５１Ａには、第１のインキ保溜部材６Ａが嵌入される。前記第１のインキ保溜部材６Ａの後方の第１のインキタンク５Ａ内（即ち第１のインキ保溜部材６Ａの後方の第１の大径部５１Ａと第１の小径部５２Ａとからなる空間）には、第１のインキ貯溜部７Ａが形成される。
【００２１】
前記第２のインキタンク５Ｂは、前方に開口する横断面円形状の第２の大径部５１Ｂと、該第２の大径部５１Ｂより後方に連設される横断面半円形状の第２の小径部５２Ｂとからなる。前記第２の大径部５１Ｂには、第２のインキ保溜部材６Ｂが嵌入される。前記第２のインキ保溜部材６Ｂの後方の第２のインキタンク５Ｂ内（即ち第２のインキ保溜部材６Ｂの後方の第２の大径部５１Ｂと第２の小径部５２Ｂとからなる空間）には、第２のインキ貯溜部７Ｂが形成される。
【００２２】
前記第１の小径部５２Ａと第２の小径部５２Ｂは隔壁３を介して径方向に重なり合う２層の重層状態となる。前記第１の小径部５２Ａと第２の小径部５２Ｂとの重層部分の外径は、前記第１の大径部５１Ａの外径及び第２の大径部５１Ｂと、略同一外径に設定される。
【００２３】
・インキ保溜部材
前記第１のインキ保溜部材６Ａは、第１のインキ貯溜部７Ａ内の圧力上昇に応じた溢出インキを一時的に保持する部材であり、本実施の形態では、複数の円板状櫛歯を備えた合成樹脂（例えばＡＢＳ樹脂）の射出成形体である。前記第１のインキ保溜部材６Ａの前端には、第１のペン先４Ａが取り付けられる。前記第１のインキ保溜部材６Ａの軸心には軸心孔が貫設され、前記軸心孔にインキ誘導芯６１Ａが挿着される。前記インキ誘導芯６１Ａの前端は第１のペン先４Ａに接続され、前記インキ誘導芯６１Ａの後端は第１のインキ貯溜部７Ａに接続される。前記インキ誘導芯６１Ａは、軸方向の毛細管通路を有する、繊維加工体、多孔質体、合成樹脂押出成形体のいずれであってもよいが、本実施の形態では、繊維の樹脂加工体（例えばポリエステル繊維の樹脂加工体）が採用されている。
【００２４】
前記第２のインキ保溜部材６Ｂは、第２のインキ貯溜部７Ｂ内の圧力上昇に応じた溢出インキを一時的に保持する部材であり、本実施の形態では、複数の円板状櫛歯を備えた合成樹脂（例えばＡＢＳ樹脂）の射出成形体である。前記第２のインキ保溜部材６Ｂの前端には、第２のペン先４Ｂが取り付けられる。前記第２のインキ保溜部材６Ｂの軸心には軸心孔が貫設され、前記軸心孔にインキ誘導芯６１Ｂが挿着される。前記インキ誘導芯６１Ｂの前端は第２のペン先４Ｂに接続され、前記インキ誘導芯６１Ｂの後端は第２のインキ貯溜部７Ｂに接続される。前記インキ誘導芯６１Ｂは、軸方向の毛細管通路を有する、繊維加工体、多孔質体、合成樹脂押出成形体のいずれであってもよいが、本実施の形態では、繊維の樹脂加工体（例えばポリエステル繊維の樹脂加工体）が採用されている。
【００２５】
第１のインキ保溜部材６Ａは、第１のインキ貯溜部７Ａ内の第１のインキ８Ａと略同色に着色されている。第２のインキ保溜部材６Ｂは、第２のインキ貯溜部７Ｂ内の第２のインキ８Ｂと略同色に着色されている。軸筒２が透明または半透明の材料よりなることから、軸筒２の外部より第１のインキ保溜部材６Ａ及び第２のインキ保溜部材６Ｂの着色されたインキ色を視認できる。
【００２６】
・インキ
前記第１のインキ貯溜部７Ａ内には、第１のインキ８Ａが貯溜され、第２のインキ貯溜部７Ｂには、第２のインキ８Ｂが貯溜される。前記第１のインキ８Ａと第２のインキ８Ｂとは、互いに色が異なる組合せが採用される。前記第１のインキ貯溜部７Ａ内の第１のインキ８Ａ及び第２のインキ貯溜部７Ｂ内の第２のインキ８Ｂは、軸筒２が透明または半透明の材料よりなることから、外部より視認可能である。本実施の形態では、第１のインキ８Ａ及び第２のインキ８Ｂは、蛍光顔料または蛍光染料を含むインキが採用される。それにより、発色の優れた、見栄えのよい外観性を有する両頭式筆記具１０が得られる。前記第１のインキ８Ａと第２のインキ８Ｂの色の組合せは、例えば、蛍光イエローと蛍光ピンクの組合せ、蛍光イエローと蛍光オレンジの組合せ、蛍光イエローと蛍光グリーンの組合せ、蛍光ピンクと蛍光オレンジの組合せ、蛍光ピンクと蛍光グリーンの組合せ、蛍光イエローと蛍光ブルーの組合せ、または蛍光イエローと蛍光バイオレットの組合せ等が、配色の見栄えが良い点から好ましい。
【００２７】
前記第１のインキ８Ａ及び第２のインキ８Ｂは、隔壁３を介して径方向の２層の重層状態で視認される。第１のインキ貯溜部７Ａ及び第２のインキ貯溜部７Ｂには、第１のペン先４Ａまたは第２のペン先４Ｂのいずれのペン先を下向きにしても、第１のインキタンク５Ａの第１の小径部５２Ａ及び第２のインキタンク５Ｂの第２の小径部５２Ｂに常時インキが存在するよう第１のインキ８Ａ及び第２のインキ８Ｂの充填量が設定される。それにより、第１のペン先４Ａまたは第２のペン先４Ｂを下向きにした際、第１のインキ８Ａと第２のインキ８Ｂとを、隔壁３を介して左右（即ち径方向）に２層の重層状態で確実に視認可能となる。
【００２８】
尚、前記重層部分を構成する隔壁３の軸方向の長さは、２色の視認が容易である点で、第１のインキ保溜部材６Ａの後端と第２のインキ保溜部材６Ｂの後端との間の軸方向の長さの少なくとも２０％以上に設定することが好ましい。また、いずれか一方のペン先が下向き状態における第１のインキ８Ａと第２のインキ８Ｂとの重層部分の軸方向の長さも、２色の視認が容易である点で、第１のインキ保溜部材６Ａの後端と第２のインキ保溜部材６ＢＢの後端との間の軸方向の長さの少なくとも２０％以上に設定するよう、第１のインキ８Ａ及び第２のインキ８Ｂの充填量を設定することが好ましい。
【００２９】
・ペン先
前記第１のペン先４Ａは、繊維加工体、毛筆体、または多孔質体よりなり、第１のインキ貯溜部７Ａ内の第１のインキ８Ａが含浸されることにより、外部より第１のインキ８Ａの色が視認され、第１のペン先４Ａが第１のインキ８Ａの色に着色された状態となる。同様に、前記第２のペン先４Ｂも、繊維加工体、毛筆体、または多孔質体であり、第２のインキ貯溜部７Ｂ内の第２のインキ８Ｂが含浸されることにより、外部より第２のインキ８Ｂの色が視認され、第２のペン先４Ｂが第２のインキ８Ｂの色に着色された状態となる。本実施の形態では、第１のペン先４Ａ及び第２のペン先４Ｂは、同一形状の、繊維の樹脂加工体（例えばポリエステル繊維の樹脂加工体）よりなる。
【００３０】
前記以外にも、前記第１のペン先４Ａ及び第２のペン先４Ｂは、例えば、両者の形状が異なる繊維加工体、両者がボールペンチップの組合せ、両者が毛筆体の組合せ、両者が多孔質体の組合せ、両者が先端にスリットを備えた金属板製の万年筆状ペン先の組合せ、両者が合成樹脂の押出成形体よりなるペン体（プラスチックペン体）の組合せ、一方が繊維加工体で他方が毛筆体の組合せ、一方が繊維加工体で他方が多孔質体の組合せ、一方が繊維加工体で他方がボールペンチップの組合せ、一方が繊維加工体で他方が万年筆状ペン先の組合せ等、または一方が繊維加工体で他方がプラスチックペン体の組合せが挙げられる。前記ボールペンチップの場合、その外面が第１のインキ貯溜部７Ａ及び第２のインキ貯溜部７Ｂ内のインキと略同色に着色されることが好ましい。尚、本発明のペン先とは、ペン先と軸筒２との間に介在されるペン先ホルダーを含む。
【００３１】
・キャップ装着構造（図４及び図５参照）
図４に示すように、前記第１のインキタンク５Ａの第１の大径部５１Ａの前端部は、その外周面に外向突起５１１Ａ（乗り越え係合部）が形成され、且つ、その内周面に環状気密部５１２Ａ（気密シール部）が形成される。図５に示すように、同様に、前記第２のインキタンク５Ｂの第２の大径部５１Ｂの前端部は、その外周面に外向突起５１１Ｂ（乗り越え係合部）が形成され、且つ、その内周面に環状気密部５１２Ｂ（気密シール部）が形成される。
【００３２】
前記第１の大径部５１Ａの内部及び第２の大径部５１Ｂの内部には隔壁３が存在しないため、前記大径部５１Ａ，５１Ｂの外周面及び内周面には、成形時のヒケの発生が抑えられる。そのため、第１の大径部５１Ａの前端部及び第２の大径部５１Ｂの前端部にも、ヒケが発生せず、その結果、第１の大径部５１Ａの前端部に設けた嵌合部（即ち、乗り越え係合部５１１Ａ及び気密シール部５１２Ａ）及び第２の大径部５１Ｂの前端部に設けた嵌合部（即ち、乗り越え係合部５１１Ｂ及び気密シール部５１２Ｂ）が、ヒケのない適正な形状を有する。尚、本発明において、前記気密シール部５１２Ａ，５１２Ｂは、第１の大径部５１Ａの前端部及び第２の大径部５１Ｂの前端部に直接設ける構成（図４及び図５の構成）の他、第１の大径部５１Ａの前端部の内周面及び第２の大径部５１Ｂの前端部の内周面に取り付けた環状シール部材よりなる構成も含まれる。前記環状シール部材よりなる気密シール部は、第１の大径部５１Ａ及び第２の大径部５１Ｂの前端部にヒケが生じないことから、その取付箇所において十分なシール性能が得られる。
【００３３】
第１のキャップ９Ａは、一端が閉鎖され他端が開口され有底筒状体であり、透明または半透明の合成樹脂（即ち、無色透明または非着色透明性の合成樹脂）の射出成形により得られる。前記第１のキャップ９Ａの内面には、前記第１のインキタンク５Ａの外向突起５１１Ａ及び前記第２のインキタンク５Ｂの外向突起５１１Ｂと乗り越え係合可能な内向突起９１Ａと、第１のインキタンク５Ａの環状気密部５１２Ａ及び第２のインキタンク５Ｂの環状気密部５１２Ｂと密接可能な環状シール部９２Ａとが一体に形成される。前記透明また半透明の合成樹脂は、例えば、ポリプロピレンが挙げられる。
【００３４】
第２のキャップ９Ｂは、一端が閉鎖され他端が開口され有底筒状体であり、透明または半透明の合成樹脂（即ち、無色透明または非着色透明性の合成樹脂）の射出成形により得られる。前記第２のキャップ９Ｂの内面には、前記第１のインキタンク５Ａの外向突起５１１Ａ及び前記第２のインキタンク５Ｂの外向突起５１１Ｂと乗り越え係合可能な内向突起９１Ｂと、第１のインキタンク５Ａの環状気密部５１２Ａ及び第２のインキタンク５Ｂの環状気密部５１２Ｂと密接可能な環状シール部９２Ｂとが一体に形成される。前記透明また半透明の合成樹脂は、例えば、ポリプロピレンが挙げられる。
【００３５】
即ち、前記第１のキャップ９Ａの嵌合部（即ち内向突起９１Ａ及び環状シール部９２Ａ）の形状と第２のキャップ９Ｂの嵌合部（即ち内向突起９１Ｂ及び環状シール部９２Ｂ）の形状が同一であるとともに、第１のインキタンク５Ａの嵌合部（即ち外向突起５１１Ａ及び環状気密部５１２Ａ）の形状と第２のインキタンク５Ｂの嵌合部（即ち外向突起５１１Ｂ及び環状気密部５１２Ｂ）の形状が同一である。それにより、第１のキャップ９Ａは、第１のペン先４Ａを備えた第１のインキタンク５Ａ及び第２のペン先４Ｂを備えた第２のインキタンク５Ｂのいずれにも装着可能であり、第２のキャップ９Ｂは、第１のペン先４Ａを備えた第１のインキタンク５Ａ及び第２のペン先４Ｂを備えた第２のインキタンク５Ｂに装着可能である。つまり、前記第１のキャップ９Ａは、第１のペン先４Ａ側及び第２のペン先４Ｂ側の軸筒２のいずれにも装着可能であり、且つ、前記第２のキャップ９Ｂは、第１のペン先４Ａ側及び第２のペン先４Ｂ側の軸筒２のいずれにも装着可能である。
【００３６】
本実施の形態の第１のキャップ９Ａ及び第２のキャップ９Ｂは、それ単体で、透明性を有し、インキ色表示機能を備えない構成のため、第１のペン先４Ａ及び第２のペン先４Ｂのいずれのペン先側に装着しても、インキ色の識別の混乱を生じさせず、インキ色の識別が容易になるとともに、ユーザーが第１のキャップ９Ａと第２のキャップ９Ｂを区別してそれぞれのペン先に装着する手間が不要となる。また、本実施の形態では、前記第１のキャップ９Ａの外面にはクリップ９３Ａが一体に形成され、一方、第２のキャップ９Ｂの外面にはクリップが形成されていない構成である。そのため、前記クリップ９３Ａを備える第１のキャップ９Ａを第１のペン先４Ａ及び第２のペン先４Ｂのいずれのペン先に装着してもよく、それをユーザーが自由に選択することができる。
【図面の簡単な説明】
【００３７】
【図１】本発明の両頭式筆記具の外観図である。
【図２】図１の縦断面図である。
【図３】図１のＡ−Ａ線拡大断面図である。
【図４】図２の第１のペン先側の拡大縦断面図である。
【図５】図２の第２のペン先側の拡大縦断面図である。
【符号の説明】
【００３８】
１  本体
２  軸筒
３  隔壁
３１  中央壁部
３２  傾斜壁部
３３  傾斜壁部
４Ａ  第１のペン先
５Ａ  第１のインキタンク
５１Ａ  第１の大径部
５１１Ａ  外向突起（乗り越え係合部）
５１２Ａ  環状気密部（気密シール部）
５２Ａ  第１の小径部
６Ａ  第１のインキ保溜部材
６１Ａ  インキ誘導芯
７Ａ  第１のインキ貯溜部
８Ａ  第１のインキ
９Ａ  第１のキャップ
９１Ａ  内向突起
９２Ａ  環状シール部
９３Ａ  クリップ
４Ｂ  第２のペン先
５Ｂ  第２のインキタンク
５１Ｂ  第２の大径部
５１１Ｂ  外向突起（乗り越え係合部）
５１２Ｂ  環状気密部（気密シール部）
５２Ｂ  第２の小径部
６Ｂ  第２のインキ保溜部材
６１Ｂ  インキ誘導芯
７Ｂ  第２のインキ貯溜部
８Ｂ  第２のインキ
９Ｂ  第２のキャップ
９１Ｂ  内向突起
９２Ｂ  環状シール部
１０  両頭式筆記具
【図１】
2005178051.tif 000003
【図２】
2005178051.tif 000004
【図３】
2005178051.tif 000005
【図４】
2005178051.tif 000006
【図５】
2005178051.tif 000007